(57)【要約】【課題】足場板を固定する際の作業性がよく、足場で作業者が安心して安全に作業を行えるようにする。【解決手段】実施形態の固定具は、上部金具、下部金具、ロック機構を備える。上部金具は、足場板の上方から足場板の上面に掛止される掛止部と、前記掛止部に接続され足場板の側縁に沿って配置される平板部と、平板部の下部に下方に向けて単管を両側から挟むように突設された第１突出部および第２突出部とを有する。下部金具は、第１突出部に回転可能に支持される第３突出部と、第２突出部に係合する第４突出部と、第３突出部と第４突出部を上側に向けて、互いの突出部の間に単管を挟んで支持するように突設した。ロック機構は、第２突出部と第４突出部との係合状態をロックおよびアンロック可能に設けられている。【選択図】図１
2020165218.tif 000002
【特許請求の範囲】
【請求項１】
固定された単管の上に単管の軸と直交する方向に長手方向を向けて載置した足場板を単管に固定する固定具であって、
前記足場板の上方から足場板の上面に掛止される掛止部と、前記掛止部に接続され足場板の側縁に沿って配置される平板部と、前記平板部の下部に下方に向けて前記単管を両側から挟むように突設された第１突出部および第２突出部とを有する上部金具と、
前記第１突出部に回転可能に支持される第３突出部と、前記第２突出部に係合する第４突出部とを上側に向けて、互いの突出部の間に前記単管を挟んで支持するように突設した下部金具と、
前記第２突出部と前記第４突出部に、互いの突出部の係合状態をロックおよびアンロック可能に設けられたロック機構と
を具備する足場固定具。
【請求項２】
前記ロック機構は、
前記第４突出部に回転可能に支持された掛止軸を有するロックピンと、
前記第２突出部の、前記ロックピンの掛止軸の回転位置に側方から切り欠いて設けられ、前記ロックピンを掛止するためのロックピン掛止部と
を具備する請求項１記載の足場固定具。
【請求項３】
前記ロックピンは、
前記第４突出部の孔に回動可能に支持される回転軸と、前記回転軸に屈曲して接続される中間部材と、前記中間部材に接続される掛止軸とを備える請求項２記載の足場固定具。
【請求項４】
前記中間部材は、くの字状に屈曲されている請求項３記載の足場固定具。
【請求項５】
前記ロックピン掛止部が、
振動などによる外れ防止のための突起を備える請求項２記載の足場固定具。
【請求項６】
前記下部金具は、
差し込んだ工具で前記係合状態をロックまたはアンロックするための開口を底部に備える請求項１記載の足場固定具。
【請求項７】
前記掛止部は、前記平板部に対して互いに反対方向に直角に折曲して形成されている請求項１記載の足場固定具。
【請求項８】
前記第２突出部の突出長を、前記単管の半径よりも長くした請求項１記載の足場固定具。
【請求項９】
閉じる方向に付勢された板バネを、前記上部金具と前記下部金具に渡して板バネ両端をそれぞれの金具に固定した請求項１記載の足場固定具。
【請求項１０】
前記下部金具が、
前記下部金具と前記上部金具とで前記単管を挟持した状態で前記足場板の内壁に対向配置される規制金具を具備する請求項１記載の足場固定具。
【請求項１１】
固定された単管の上に単管の軸と直交する方向に長手方向を向けて載置した足場板を固定具で前記単管に固定する固定方法であって、
前記足場板の上方から前記固定具の掛止部を前記足場板の上面端部に掛止し、
前記固定具に下方に向けて前記単管を両側から挟むように突設した第１突出部および第２突出部と、前記第１突出部および第２突出部に対応し上方に向けて前記固定具に突設した第３突出部および第４突出部とを係合させて前記単管を挟持し、
前記第２突出部と前記第４突出部とに設けたロック機構で互いの突出部の係合状態をロックする
固定具による足場板の固定方法。
【発明の詳細な説明】
【技術分野】
【０００１】
本発明の実施形態は、固定具およびその固定方法に関する。
【背景技術】
【０００２】
例えばビルなどの建造物の外壁や外壁に設けられている配管などを定期点検する際や修繕工事を行う際には、仮設足場を設置した上で作業が行われる。
【０００３】
仮設足場を設置する際に、水平方向に配置した足場パイプに金属製の足場板を固定するのは番線であり、作業としては、足場板に設けられている孔に番線を通して下の足場パイプを固縛することになる。
【０００４】
このように番線を用いた固縛作業は熟練を要する上、番線の末端処理を徹底しないと作業服に引っ掛けて服が破けたり作業者が怪我をすることがある。
【０００５】
そこで、近年では、番線に代わる仮設足場の固定具として、固定金具本体に、半円弧状の単管挟着用切欠を形成した単管挟着用片を、スプリングを介して閉塞方向に付勢するように取り付けたものや（例えば特許文献１参照）、足場板の側面下側で足場パイプを挟持し足場板上面でベルトにより固定する挟持構造の固定具（例えば特許文献２参照）、下側が開放されたアームとこのアームに回動自在に支持されたクランプレバーとで足場パイプを挟持し足場板の上面に渡した押え板で足場板を固定する構造のレバー足場板クランプ（例えば特許文献３参照）などが発案されている。
【先行技術文献】
【特許文献】
【０００６】
【特許文献１】特開平０９−２２８６２９号公報
【特許文献２】特開平０７−１０９８３３号公報
【特許文献３】特開平０５−０３３４８１号公報
【発明の概要】
【発明が解決しようとする課題】
【０００７】
しかしながら、上記特許文献１に記載の固定金具の場合、単管挟着用片をスプリングで付勢して単管を挟持するだけのため、外れはしないものの作業者の中には外れることを懸念し足場の作業に不安を感じる者がいた。
【０００８】
また、上記特許文献２、３に記載の固定具やクランプの場合、単管への取り付け作業と足場板の上面にベルトや押え板を取り回す作業が必要になり、作業性が悪く、足場板の固定に時間を要するとともに、足場板の上面にベルトや押え板が渡されるため、従来の番線同様に作業者が足場での作業中につまづく恐れがあるという問題があった。
【０００９】
本発明が解決しようとする課題は、足場板を固定する際の作業性がよく、足場で作業者が安心して安全に作業を行うことができる固定具およびその固定方法を提供することにある。
【課題を解決するための手段】
【００１０】
実施形態の固定具は、固定された単管の上に単管の軸と直交する方向に長手方向を向けて載置した足場板を単管に固定する固定具であって、上部金具と下部金具とロック機構とを備える。上部金具は、足場板の上方から足場板の上面に掛止される掛止部と、前記掛止部に接続され足場板の側縁に沿って配置される平板部と、平板部の下部に下方に向けて単管を両側から挟むように突設された第１突出部および第２突出部とを有する。下部金具は、第１突出部に回転可能に支持される第３突出部と、第２突出部に係合する第４突出部と、第３突出部と第４突出部を上側に向けて、互いの突出部の間に単管を挟んで支持するように突設した。ロック機構は、第２突出部と第４突出部との係合状態をロックおよびアンロック可能に設けられている。
【図面の簡単な説明】
【００１１】
【図１】本発明の一実施形態に係る仮設足場の構成を示す斜視図である。
【図２】仮設足場に設ける金属製の足場板を固定具で固定した様子を示す斜視図である。
【図３】図２の固定具の側面図である。
【図４】図３の固定具の正面図である。
【図５】回転ピンを示す斜視図である。
【図６】突起部と孔との位置関係を示す図である。
【図７】固定具を開放した状態を示す側面図である。
【図８】固定具のロックをロックする様子を示す図である。
【図９】固定具のロックを解除（アンロック）する様子を示す図である。
【図１０】固定具の落下防止機能（引っ掛け構造）の一例を示す図である。
【図１１】固定具の落下防止機能（付勢機構）の一例を示す図である。
【発明を実施するための形態】
【００１２】
以下、図面を参照して、実施形態を詳細に説明する。図１は一つの実施の形態の仮設足場の構成を示す斜視図である。
【００１３】
図１に示すように、実施形態の仮設足場１０は、略垂直方向に配置された複数の単管足場パイプ１１、略水平方向（横方向）に配置された複数の単管足場パイプ（以下「横足場パイプ」という）１２および斜め方向に配置された複数の単管足場パイプ１３によってそれぞれ組み合わされるとともに、所定高さに配置された複数の横足場パイプ１２上に橋架された金属製の足場板２１、２２、単管足場パイプ１１に固定されたつまさき板１４を備える。この仮設足場１０では横足場パイプ１２は一定の方向（横方向）に並べて固定されている。これらの単管足場パイプは「単管」の一つである。
【００１４】
金属製の足場板２１、２２は、建造物への作業に適した高さ、この例では、例えば図１の地面から３段目（下から３段目）の横足場パイプ１２上に複数箇所配置されている。これらの足場板２１、２２は、資材の運搬、載置や作業者の往来、高所への移動などを可能としている。
【００１５】
なお、足場板２１、２２は、橋架された複数の横足場パイプ１２の配列方向を、足場板２１、２２の長手方向（紙面の厚さ方向）とし、横足場パイプ１２の軸方向を、足場板２０の短手方向（紙面の左右方向）とする。つまり、横足場パイプ１２は、橋架した複数本の横足場パイプ１２の上に横足場パイプ１２の軸と直交する方向に足場板２１の長手方向を向けて足場板２１を載置し足場とするものである。
【００１６】
図２は図１に示した足場板２１、２２を固定具４０で固定した部位（要部）を示す斜視図、図３は図２の要部の側面図、図４は要部の正面図である。
図２、図３に示すように、足場板２１と足場板２２は、並設されており、金属製の板材からなる足場板本体２１ａ、２２ａの側縁部に内側に巻き込むように屈曲加工された側縁部（側面２１ｂ、底面２１ｃ、突出面２１ｄなど）が設けられている。足場板本体２１ａ、２２ａの側縁部は、長手方向に沿って板金を下方向に断面コ字形状にそれぞれ折り曲げて形成したものである。なお、図２では足場板本体２１ａ、２２ａの一部（足場板２１、２２の長手方向の一部）を破断して示している。
【００１７】
足場板本体２１、２２の各側面２１ｂ，２２ｂは、横足場パイプ１２へ載置される脚部としての機能をそれぞれ有する。
【００１８】
固定具４０は、横足場パイプ１２の上に横足場パイプ１２の軸の方向と直交する方向に長手方向を向けて載置した足場板２１、２２を横足場パイプ１２に固定する足場板固定金具である。
【００１９】
図２乃至図４に示すように、固定具４０は、厚みが例えば２．３ｍｍの１枚の鋼板を型抜きし屈曲させた上部金具４５と下部金具４７とを有する。上部金具４５は、機能別に分けると、上部の掛止部としての押え金具４５ａ、４５ｂ、中部の平板部４５ｃ、下部の第１突出部４５ｄおよび第２突出部４５ｆなどにより構成される。この固定具４０は、上部金具４５と下部金具４７の一端がリベット止めなどで回転自在に支持されて、他端が回転ピン５１と案内溝４５ｇで掛止される構造とされており、各パーツ全てが一体化されている。このようにパーツを一体化することで、部品の紛失およびそれによる異物の混入や落下による災害の防止などが図られる。
【００２０】
上部の押え金具４５ａ、４５ｂは、平板部４５ｃに対して互いに反対方向に直角に折り曲げて形成されている。押え金具４５ａは、足場板２１の上方から足場板本体２１ａの上面に掛止される。押え金具４５ｂは、足場板２２の上方から足場板本体２２ａの上面に掛止される。この例のように２つの足場板２１、２２の間に固定具４０を介在させることで、２枚の足場板２１、２２を同時に固定できる。この２枚の足場板２１、２２のケース以外に、例えば端の足場板に固定具４０を使用する場合は、押え金具４５ａ、４５ｂのうち足場板に沿う側に屈曲した押え金具を使用する。
【００２１】
中部の平板部４５ｃは、押え金具４５ａ、４５ｂに接続（連結）されており、足場板２１の側面２１ｂと足場板２２の側面２２ｂとの間に（足場板２１、２２の側縁に沿って）配置される。下部の第１突出部４５ｄおよび第２突出部４５ｆは、平板部４５ｃの下部に下方に向けて、横足場パイプ１２を両側から挟むように突設されている。
【００２２】
下部金具４７は、１枚の鋼板を型抜きして上方向に折り曲げ加工した金具であり、機能別にすると、対向して配置された２枚の一対の板状部材としての側板４７ａ、４８ａと、これら側板４７ａ、４８ａを対称に保持するように一対の側板４７ａ、４８ａの下部を接続及び支持する接続部材としての底板４６と、この底板４６から上方に直角に折り曲げられた規制部としての規制金具４９を有する。
【００２３】
規制金具４９は、上端に規制面４９ａを有する。規制面４９ａは、下部金具４７が上部金具４５に係合した状態で足場板２１の側縁部の突出面２１ｄの内側に隙間を設けて配置される。規制面４９ａは、足場板２１の横ずれ（横足場パイプ１２軸方向のずれ）を規制するものであり、足場板本体２１ａが横にずれたときに、押え金具４５ｂが足場板本体２１ａから外れないように常に固定できる状態を保持する幅Ｈ３（図４参照）で設けられている。なお、規制面４９ａは、足場板２２の側にも同様に設けられている。
すなわち、規制金具４９は、下部金具４７と上部金具４５とで横足場パイプ１２を挟持した状態で足場板２１、２２の対向する側面の内壁に対向して配置される。規制面４９ａには、補強用にエンボス加工（金型によるプレス加工）された突部４９ｉが設けられている。
【００２４】
側板４７ａは、これと対向する側板４８ａと同じ形状であり、図２の斜視図では見えないため、見える側（片側）の側板４７ａについて説明するが、側板４８ａも同様のことが言える。側板４７ａは、紙面に向かって左側の第３突出部４７ｂ、紙面に向かって右側の第４突出部４７ｃ、これら突出部の間の中部４７ｄを有する。
【００２５】
第３突出部４７ｂと第４突出部４７ｃ（４８ｃ）は、上側に向けて、互いの突出部の間に横足場パイプ１２を挟んで下から支持するように下部金具４７に突設されている。第３突出部４７ｂは、側板４８ａ側の第３突出部４８ｂとで上部金具４５の第１突出部４５ｄを挟み込むように絞り加工されている。
【００２６】
第３突出部４７ｂには、上部金具４５の第１突出部４５ｄの孔４５ｅに対応する孔（孔４５ｅと重なるため図示せず）が設けられており、例えばリベットなどにより第１突出部４５ｄに回転可能に支持される。固定具４０としてみると、下部金具４７と上部金具４５とが孔４５ｅを中心に回動可能にされている（図７参照）。
【００２７】
第４突出部４７ｃ、４８ｃは、上部金具４５の第２突出部４５ｆに係合する。第４突出部４７ｃ、４８ｃには回転ピン５１が設けられている。この回転ピン５１と第２突出部４５ｆに設けられている案内溝４５ｇとでロック機構６０（図３参照）が構成される。ロック機構６０は、これら第２突出部４５ｆと第４突出部４７ｃ、４８ｃの係合状態を、ロックおよびロック解除（アンロック）可能である。
【００２８】
側板４７ａ、４８ａには、横足場パイプ１２を当接して保持するために中部４７ｄを半円弧状に切り欠いて切欠きが形成されている。つまり側板４７ａ、４８ａそれぞれには、横足場パイプ１２の形状と対応して設けられた半円弧状の切欠きが設けられている。また、側板４７には、中部４７ｄから第１突出部４７ｂにかけて、補強用にエンボス加工された突部４７ｉが設けられている。側板４８ａも同様に突部４８ｉが設けられている。
【００２９】
側板４７ａ、４８ａそれぞれには、孔４７ｅ、４８ｅが対向して設けられている。これらの孔４７ｅ、４８ｅには、図５に示すように、外形が断面コの字形状に屈曲した金属の棒状部材（係止部材）としての回転ピン５１の端部（図５の接続部５１ａ、５１ｂ）が係合しており、接続部５１ｅが、図３の矢印Ｓ１の方向に弧を描くように回転可能に支持されている。
【００３０】
図５に示すように、回転ピン５１は、一対の側板４７ａ、４８ａそれぞれに対応し、一対の側板４７ａ、４８ａの孔４７ｅ、４８ｅに回転可能に支持される回転軸としての一対の端部５１ａ、５１ｂと、一対の側板４７ａ、４８ａの外部に配置され、一端が一対の端部５１ａ、５１ｂに接続される一対の中間部材５１ｃ、５１ｄと、一対の中間部材５１ｃ、５１ｄの他端に両端が接続される接続部５１ｅとを有する。
【００３１】
中間部材５１ｃ、５１ｄは、それぞれ「くの字」の形状に屈曲しており、切り欠き４５ｇに係合させるために弾性のある掛止機能が持たされている。接続部５１ｅは、回転ピン５１を案内溝４５ｇに掛止する掛止軸として機能する。
【００３２】
つまり回転ピン５１は、接続部５１ｅ（掛止部）を有し、接続部５１ｅ（掛止部）が側板４７ａ、４８ａの外側で弧を描くように側板４７ａ、４８ａに回転可能に支持されている。
【００３３】
また、第２突出部４５ｆの案内溝４５ｇには、孔４７ｅ、４８ｅを回転中心として回転される回転ピン５１が掛止された状態で外れ難くするための突起４５ｈ（図６参照）が設けられている。
【００３４】
図６に示すように、上部金具４５の案内溝４５ｇには、孔４７ｅ（４８ｅ）の位置Ｈ１よりも内側に入り込んだ位置Ｈ２に、外れ防止用の突起４５ｈが配設されている。つまり回転ピン５１が回転自在に支持された回転軸（端部５１ａ、５１ｂ）の位置よりも内側の位置Ｈ２に突起４５ｈが設けられている。
【００３５】
これにより、回転ピン５１を案内溝４５ｇに掛止するときに、接続部５１ｅ（図５参照）が突起４５ｈを内側へのり越えさえすれば、振動などの影響で回転ピン５１の接続部５１ｅが外方向へずれて案内溝４５ｇから外れるようなことがなくなる。
【００３６】
図２に示すように、底板４６には、第２突出部４５ｆの案内溝４５ｇに係合した状態の回転ピン５１の接続部５１ｅ（図５参照）のほぼ真下の位置に開口４６ａが設けられている。開口４６ａは、案内溝４５ｇに係合された状態の接続部５１ｅ（掛止部）の位置に対応する底板４６の位置に設けられている。開口４６ａは、差し込んだシノなどの工具で接続部５１ｅを操作して第２突出部４５ｆと第４突出部４７ｃ、４８ｃとの係合状態をロックまたはアンロックするためのものである。
【００３７】
開口４６ａは、回転ピン５１の接続部５１ｅを案内溝４５ｇに係合（掛止）する作業および係合状態（掛止状態）を解除する作業の際に利用するものである。具体的な作業については下記で説明する。
【００３８】
ここで、図７乃至図９を参照して足場板２１、２２の設置（固定）作業を説明する。  
この場合、横足場パイプ１２の上に足場板２１を載せた後、図７に示すような開放状態の固定具４０の押え金具４５ｂを、足場板本体２１ａの上面にあてがい、また平板部４５ｃの半円弧状の切欠きに横足場パイプ１２をあてがうようにして、固定具４０を足場板２１および横足場パイプ１２に係合させる。
【００３９】
続いて、固定具４０の平板部４５ｃを足場板２１の側面２１ｂと側面２２ｂとで挟むようにして足場板本体２２を足場板２１に並べるように配置する。この際、固定具４０の押え金具４５ａを足場板本体２２ａの上面にあてがうようにする。
すなわち、足場板２１、２２の上方から固定具４０の押え金具４５ａ、４５ｂを足場板２１、２２の上面端部に掛止する。
【００４０】
次に、足場板２１、２２の下で、固定具４０の下部金具４７を矢印Ｓ３の回動させて、下部金具４７の第４突出部４７ｃを上部金具４５の第２突出部４５ｆに係合させるとともに、下部金具４７の規制部４９の規制面４９ａを、足場板２１の突出面２１ｄに係合させて、図８の係合状態とする。足場板２２の突出面２２ｄについて同様である。
【００４１】
すなわち、固定具４０に下方に向けて横足場パイプ１２を両側から挟むように突設した第１突出部４５ｄおよび第２突出部４５ｆと、これら第１突出部４５ｄおよび第２突出部４５ｆに対応し上方に向けて固定具４０に突設した第３突出部４７ｂおよび第４突出部４７ｃとを係合させて横足場パイプ１２を上下左右から挟持する。
【００４２】
その後、第２突出部４５ｆと第４突出部４７ｃとに設けたロック機構６０（回転ピン５１の接続部５１ｅ、案内溝４５ｇ）で互いの突出部の係合状態をロックする。
詳細に説明すると、下部金具４７の底板４６の開口４６ａより、シノ（ラチェット）６１などの工具を差し込み、その先端を回転ピン５１の接続部５１ｅの横（紙面に向かって接続部５１ｅの右側）に突き出し、ボルトナットなどのねじ類やそれを回すためのドライバーやスパナなどを用いず、開口４６ａのエッジを支点としてシノ（ラチェット）６１に矢印Ｓ４の方向の力を加えることで、テコの原理により、接続部５１ｅが矢印Ｓ５の方向に移動され、案内溝４５ｇに掛止され、係合状態が維持（ロック）される。
【００４３】
一方、仮設足場１０の解体作業などで固定具４０のロック状態（掛止状態）を解除、つまりアンロックする場合、図９に示すように、下部金具４７の底板４６の開口４６ａより、シノ（ラチェット）６１などの工具を差し込み、その先端を回転ピン５１の接続部５１ｅの横（紙面に向かって接続部５１ｅの左側）に突き出し、開口４６ａのエッジを支点としてシノ（ラチェット）６１に矢印Ｓ６の方向の力を加えることで、テコの原理により、接続部５１ｅが矢印Ｓ７の方向に移動され、案内溝４５ｇから外れ、掛止状態が解除される。すなわち、解除は、ロック操作の逆の操作でテコの原理によって回転ピン５１の掛止状態を解除できる。
【００４４】
ここで、図１０、図１１を参照して固定具４０の落下防止機能について説明する。
この固定具４０では、図１０に示すように、第２突出部４５ｆの突出長Ｈ４を、横足場パイプ１２の半径Ｒよりも長くして、引っ掛かる構造としている。このため、開放状態の固定具４０を横足場パイプ１２に引っ掛けたとき、下部金具４７の重みで上部金具４５が回ってしまった際に、配管頂部１２ａに第２突出部４５ｆの縁の部分が掛かってぶら下がるようになり、落下し難い構造となっている。
また、図１１に示すように、閉じる方向（まるまる方向）に付勢力が働く板バネ６６を、上部金具４５と下部金具４７に渡して、板バネ端部をそれぞれの金具に固定する。
このように上部金具４５と下部金具４７が閉じる付勢機構を設けることで、金具どうしが常に閉じるようになり、例えば固定具４０を横足場パイプ１２に引っ掛けた状態で、作業者が固定具４０から手を離したときに、固定具４０が横足場パイプ１２から脱落するようなことを防止できる。
【００４５】
以上説明したように、この実施形態の仮設足場１０によれば、上部金具４５に下部金具４７を回動自在に支持し、上部金具４５の押え金具４５ａ、４５ｂをそれぞれ足場板本体２１ａ、２２ｂに掛止し、上部金具４５の第１突出部４５ｄ、第２突出部４５ｆで横足場パイプ１２を両側から挟持した状態で、上部金具４５に下部金具４７を係合させて上下から横足場パイプ１２を挟持するとともに、上部金具４５と下部金具４７との係合状態をロック機構６０（第２突出部４５ｆの案内溝４５ｇ、第４突出部４７ｃに軸支した回転ピン５１）にてロックするので、固定具４０にて、足場板２１、２２を横足場パイプ１２に作業性よく確実に固定することができる。
【００４６】
また、上部の押え金具４５ａ、４５ｂは、足場板本体２１ａ、２２ｂの端部で板厚（２．３ｍｍ程度）で掛止されるので、従来のように足場板２１、２２に番線を渡して縛っていたときよりも作業者がつまづく危険性が大幅に少なくなる。
【００４７】
さらに、案内溝４５ｇに、固定具４０を固定した状態で、回転中心の孔４７ｅの真上よりも内側に突起４５ｈ（頂部）を設けたので、テコの原理を利用してシノで回転ピン５１を直接可動させなければ外れることがない。また、案内溝４５ｇの突起４５ｈ内側に回転ピン５１を掛止した状態からは、振動などでは回転ピン５１の接続部５１ｅが案内溝４５ｇから外れないため、より安全性が高まる。また、回転ピン５１を回動させてロックする機構を設けたことで、回転ピン５１の角度（位置、向き）でロックされていることがわかり、作業者の不安感を解消することができる。さらに、ロックされていないときは、下部金具４７が垂れ下った開放状態になるため、固定具４０の状態が一目でわかる。
【００４８】
また、１枚の鋼板を型抜きして２枚の板にして各板を折り曲げ加工して上部金具４５と下部金具４７を作り、互いの金具の一端を回動自在に支持し、他端に、折り曲げ加工した回転ピン５１と案内溝４５ｇでロック機構６０を構成したので、固定具４０としての材料コストおよび加工コストを大幅に削減することができる。
【００４９】
さらに、掛止した回転ピン５１の真下の底板４６に開口４６ａを設けて、シノなどの工具６１を開口４６ａに差し込んで、テコの原理で回転ピン５１を案内溝４５ｇに容易に掛止、または掛止解除できる構造にしたので、仮設足場１０における足場板２０の固定作業および解体作業にかかる作業性を向上し作業時間を短縮することができる。
【００５０】
さらに、一本の棒状の金属部材を矩形に折り曲げ加工した回転ピン５１の中間部材５１ｃ、５１ｄを「くの字」の形状にしてバネ性を持たせたことで、掛止部に常にテンションがかかるようになり外れ難くすることができるとともに、回転ピン５１を案内溝４５ｇに掛止する際（ロック時）または掛止解除する際（アンロック時）の硬さを程よいものにし、作業性を向上することができる。
【００５１】
以上により、足場板２１、２２を固定する際の作業性がよく、足場の上で作業者が安心して安全に作業を行うことができるようになる。
【００５２】
上記実施形態では、２枚の足場板２１、２２の間に固定具４０を１つ配置して横足場パイプ１２に固定する例を示したが、最端の１枚の足場板２１だけでも押え金具４５ａまたは４５ｂで横足場パイプ１２に固定することができることはいうまでもない。また、足場板の両端を固定する場合は足場板２枚に対して３つの固定具４０で固定できるので、２枚の足場板で２つの固定具を使うのに比べて、使用する固定具の数が少なく済む。
【００５３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。またこの実施形態やその変形は、発明の範囲や要旨に含まれるとともに、特許請求の範囲に記載された発明とその均等の範囲に含まれる。
【符号の説明】
【００５４】
１０…仮設足場、１１…単管足場パイプ、１２…横足場パイプ、１３…単管足場パイプ、１４…つまさき板、２１、２２…足場板、２１ａ，２２ａ…足場板本体、４０…固定具、４５…上部金具、４５ｄ…第１突出部、４５ｆ…第２突出部、４５ｇ…案内溝、４６…底板、４６ａ…開口、４７…下部金具、４７ａ、４８ａ…側板、４７ｂ、４８ｂ…第３突出部、４７ｃ、４８ｃ…第４突出部、４７ｄ…中部、４７ｈ…突起、４７ｉ、４８ｉ、４９ｉ…突部、４９…規制金具、４９ａ…規制面、５１…回転ピン、５１ｅ…接続部、６１…シノ。
【図１】
2020165218.tif 000003
【図２】
2020165218.tif 000004
【図３】
2020165218.tif 000005
【図４】
2020165218.tif 000006
【図５】
2020165218.tif 000007
【図６】
2020165218.tif 000008
【図７】
2020165218.tif 000009
【図８】
2020165218.tif 000010
【図９】
2020165218.tif 000011
【図１０】
2020165218.tif 000012
【図１１】
2020165218.tif 000013
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
固定された単管の上に単管の軸と直交する方向に長手方向を向けて載置した足場板を単管に固定する固定具であって、
前記足場板の上方から足場板の上面に掛止される掛止部と、前記掛止部に接続され足場板の側縁に沿って配置される平板部と、前記平板部の下部に下方に向けて前記単管を両側から挟むように突設された第１突出部および第２突出部とを有する上部金具と、
前記第１突出部に回転可能に支持される第３突出部と、前記第２突出部に係合する第４突出部とを上側に向けて、互いの突出部の間に前記単管を挟んで支持するように突設した下部金具と、
前記第２突出部と前記第４突出部に、互いの突出部の係合状態をロックおよびアンロック可能に設けられたロック機構と
を具備し、
前記ロック機構は、
前記第４突出部に回転可能に支持された掛止軸を有するロックピンと、
前記第２突出部の、前記ロックピンの掛止軸の回転位置に側方から切り欠いて設けられ、前記ロックピンを掛止するためのロックピン掛止部と
を具備する足場固定具。
【請求項２】
前記ロックピンは、
前記第４突出部の孔に回動可能に支持される回転軸と、前記回転軸に屈曲して接続される中間部材と、前記中間部材に接続される掛止軸とを備える請求項１記載の足場固定具。
【請求項３】
前記中間部材は、くの字状に屈曲されている請求項２記載の足場固定具。
【請求項４】
前記ロックピン掛止部が、
振動などによる外れ防止のための突起を備える請求項１記載の足場固定具。
【請求項５】
前記下部金具は、
差し込んだ工具で前記係合状態をロックまたはアンロックするための開口を底部に備える請求項１記載の足場固定具。
【請求項６】
前記掛止部は、前記平板部に対して互いに反対方向に直角に折曲して形成されている請求項１記載の足場固定具。
【請求項７】
前記第２突出部の突出長を、前記単管の半径よりも長くした請求項１記載の足場固定具。
【請求項８】
閉じる方向に付勢された板バネを、前記上部金具と前記下部金具に渡して板バネ両端をそれぞれの金具に固定した請求項１記載の足場固定具。
【請求項９】
固定された単管の上に単管の軸と直交する方向に長手方向を向けて載置した足場板を単管に固定する固定具であって、
前記足場板の上方から足場板の上面に掛止される掛止部と、前記掛止部に接続され足場板の側縁に沿って配置される平板部と、前記平板部の下部に下方に向けて前記単管を両側から挟むように突設された第１突出部および第２突出部とを有する上部金具と、
前記第１突出部に回転可能に支持される第３突出部と、前記第２突出部に係合する第４突出部とを上側に向けて、互いの突出部の間に前記単管を挟んで支持するように突設した下部金具と、
前記第２突出部と前記第４突出部に、互いの突出部の係合状態をロックおよびアンロック可能に設けられたロック機構と
を具備し、
前記下部金具が、
前記下部金具と前記上部金具とで前記単管を挟持した状態で前記足場板の内壁に対向配置される規制金具を具備する足場固定具。
【請求項１０】
固定された単管の上に単管の軸と直交する方向に長手方向を向けて載置した足場板を固定具で前記単管に固定する固定方法であって、
前記固定具は、
前記足場板の上方から足場板の上面に掛止される掛止部と、前記掛止部に接続され足場板の側縁に沿って配置される平板部と、前記平板部の下部に下方に向けて前記単管を両側から挟むように突設された第１突出部および第２突出部とを有する上部金具と、
前記第１突出部に回転可能に支持される第３突出部と、前記第２突出部に係合する第４突出部とを上側に向けて、互いの突出部の間に前記単管を挟んで支持するように突設した下部金具と、
前記第２突出部と前記第４突出部に、互いの突出部の係合状態をロックおよびアンロック可能に設けられたロック機構と
を具備し、
前記ロック機構は、
前記第４突出部に回転可能に支持された掛止軸を有するロックピンと、
前記第２突出部の、前記ロックピンの掛止軸の回転位置に側方から切り欠いて設けられ、前記ロックピンを掛止するためのロックピン掛止部と
を具備する
固定具による足場板の固定方法。
【請求項１１】
固定された単管の上に単管の軸と直交する方向に長手方向を向けて載置した足場板を固定具で前記単管に固定する固定方法であって、
前記固定具は、
前記足場板の上方から足場板の上面に掛止される掛止部と、前記掛止部に接続され足場板の側縁に沿って配置される平板部と、前記平板部の下部に下方に向けて前記単管を両側から挟むように突設された第１突出部および第２突出部とを有する上部金具と、
前記第１突出部に回転可能に支持される第３突出部と、前記第２突出部に係合する第４突出部とを上側に向けて、互いの突出部の間に前記単管を挟んで支持するように突設した下部金具と、
前記第２突出部と前記第４突出部に、互いの突出部の係合状態をロックおよびアンロック可能に設けられたロック機構と
を具備し、
前記下部金具が、
前記下部金具と前記上部金具とで前記単管を挟持した状態で前記足場板の内壁に対向配置される規制金具を具備する
固定具による足場板の固定方法。
【手続補正２】
【補正対象書類名】明細書
【補正対象項目名】００１０
【補正方法】変更
【補正の内容】
【００１０】
実施形態の固定具は、固定された単管の上に単管の軸と直交する方向に長手方向を向けて載置した足場板を単管に固定する固定具であって、上部金具と下部金具とロック機構とを備える。上部金具は、足場板の上方から足場板の上面に掛止される掛止部と、前記掛止部に接続され足場板の側縁に沿って配置される平板部と、平板部の下部に下方に向けて単管を両側から挟むように突設された第１突出部および第２突出部とを有する。下部金具は、第１突出部に回転可能に支持される第３突出部と、第２突出部に係合する第４突出部と、第３突出部と第４突出部を上側に向けて、互いの突出部の間に単管を挟んで支持するように突設した。ロック機構は、第２突出部と第４突出部との係合状態をロックおよびアンロック可能に設けられ、前記第４突出部に回転可能に支持された掛止軸を有するロックピンと、前記第２突出部の、前記ロックピンの掛止軸の回転位置に側方から切り欠いて設けられ、前記ロックピンを掛止するためのロックピン掛止部とを具備する。